(57)【要約】【課題】  ＬＣＤによる画面表示環境を適切に制御することを可能とする。【解決手段】  ＬＣＤ画面表示部１７で表示する画像を入力するカメラ１１が起動されたことを検出するカメラ起動検出部１２と、起動検出有りの場合に、バックライト用ＬＥＤ１５の輝度を上げる輝度制御手段（輝度制御部１３、輝度設定部１４）とを備える。【選択図】    図１
2005318219.tif 000002
【特許請求の範囲】
【請求項１】
ディスプレイのバックライトを制御するバックライト制御装置において、
前記ディスプレイで表示する画像を入力する撮像装置が起動されたことを検出する撮像装置起動検出手段と、
前記起動検出有りの場合に、前記バックライトの輝度を上げる輝度制御手段と、
を備えたことを特徴とするバックライト制御装置。
【請求項２】
ディスプレイのバックライトを制御するバックライト制御装置において、
前記ディスプレイで表示する表示データを通信により取得し入力する通信装置が通信接続したことを検出する通信接続検出手段と、
前記通信接続検出有りの場合に、前記バックライトの輝度を上げる輝度制御手段と、
を備えたことを特徴とするバックライト制御装置。
【請求項３】
所定の輝度設定値を保持する第１の輝度設定値記憶手段と、
前記所定の輝度設定値よりも高輝度の輝度設定値を保持する第２の輝度設定値記憶手段とを備え、
前記輝度制御手段は、前記第１又は第２の輝度設定値記憶手段のいずれかの輝度設定値を選択して使用することを特徴とする請求項１又は２に記載のバックライト制御装置。
【請求項４】
輝度オフセット値を保持する輝度オフセット値記憶手段を備え、
前記輝度制御手段は、前記輝度オフセット値分だけ輝度を上げることを特徴とする請求項１又は２に記載のバックライト制御装置。
【請求項５】
ディスプレイと、
前記ディスプレイのバックライトと、
前記ディスプレイで表示する画像を入力する撮像装置と、
前記撮像装置が起動されたことを検出する撮像装置起動検出手段と、
前記起動検出有りの場合に、前記バックライトの輝度を上げる輝度制御手段と、
を備えたことを特徴とする携帯端末装置。
【請求項６】
ディスプレイと、
前記ディスプレイのバックライトと、
前記ディスプレイで表示する表示データを通信により取得し入力する通信装置と、
前記通信装置が通信接続したことを検出する通信接続検出手段と、
前記通信接続検出有りの場合に、前記バックライトの輝度を上げる輝度制御手段と、
を備えたことを特徴とする携帯端末装置。
【発明の詳細な説明】
【技術分野】
【０００１】
本発明は、携帯端末装置等に備えられている液晶ディスプレイ（ＬＣＤ；Liquid Crystal Display）などのディスプレイのバックライトの制御装置、及び携帯端末装置に関する。
【背景技術】
【０００２】
従来、携帯端末装置等においては、画面表示用のＬＣＤとともにＬＥＤ（Light Emitting Diode）などを用いたバックライトが備えられており、バックライトの輝度を変更することにより画面の明るさを調節することができるようになっている。しかし、バックライトの点灯時には多くの電力が消費されることから、電池寿命を長くするために、バックライト用のＬＥＤを駆動するパルス幅を電池残量に応じて変更している（例えば、特許文献１参照）。また、電池残量に応じて実際に駆動するＬＥＤを限定することにより電池の長寿命化を図っている（例えば、特許文献２参照）。
【特許文献１】特開２００１−１６８９８３号公報
【特許文献２】特開２００２−３７４３４９号公報
【発明の開示】
【発明が解決しようとする課題】
【０００３】
しかし、上述した従来の消費電力削減を目的としたＬＣＤ用バックライト制御技術では、ユーザの利便性が悪い場合が生じる。例えば、近年、カメラ付きの携帯端末装置（カメラ付き携帯電話機等）が実現されているが、ユーザ設定等による低消費電力モード時におけるバックライトの輝度が低い状態でカメラ画像をＬＣＤで表示した場合、画像が暗く感じられたり、輝度不足によるノイズが目立つことから、カメラ画像の見栄えが悪くなる。この場合、ユーザはカメラ画像自体が鮮明ではないと誤る虞がある。
【０００４】
本発明は、このような事情を考慮してなされたもので、その目的は、ＬＣＤによる画面表示環境を適切に制御することができるバックライト制御装置を提供することにある。
【０００５】
また、本発明の他の目的は、本発明のバックライト制御装置を備えた携帯端末装置を提供することにある。
【課題を解決するための手段】
【０００６】
上記の課題を解決するために、本発明に係るバックライト制御装置は、ディスプレイのバックライトを制御するバックライト制御装置において、前記ディスプレイで表示する画像を入力する撮像装置が起動されたことを検出する撮像装置起動検出手段と、前記起動検出有りの場合に、前記バックライトの輝度を上げる輝度制御手段とを備えたことを特徴としている。
【０００７】
本発明に係るバックライト制御装置は、ディスプレイのバックライトを制御するバックライト制御装置において、前記ディスプレイで表示する表示データを通信により取得し入力する通信装置が通信接続したことを検出する通信接続検出手段と、前記通信接続検出有りの場合に、前記バックライトの輝度を上げる輝度制御手段とを備えたことを特徴としている。
【０００８】
本発明に係るバックライト制御装置においては、所定の輝度設定値を保持する第１の輝度設定値記憶手段と、前記所定の輝度設定値よりも高輝度の輝度設定値を保持する第２の輝度設定値記憶手段とを備え、前記輝度制御手段は、前記第１又は第２の輝度設定値記憶手段のいずれかの輝度設定値を選択して使用することを特徴とする。
【０００９】
本発明に係るバックライト制御装置においては、輝度オフセット値を保持する輝度オフセット値記憶手段を備え、前記輝度制御手段は、前記輝度オフセット値分だけ輝度を上げることを特徴とする。
【００１０】
本発明に係る携帯端末装置は、ディスプレイと、前記ディスプレイのバックライトと、前記ディスプレイで表示する画像を入力する撮像装置と、前記撮像装置が起動されたことを検出する撮像装置起動検出手段と、前記起動検出有りの場合に、前記バックライトの輝度を上げる輝度制御手段とを備えたことを特徴としている。
【００１１】
本発明に係る携帯端末装置は、ディスプレイと、前記ディスプレイのバックライトと、前記ディスプレイで表示する表示データを通信により取得し入力する通信装置と、前記通信装置が通信接続したことを検出する通信接続検出手段と、前記通信接続検出有りの場合に、前記バックライトの輝度を上げる輝度制御手段とを備えたことを特徴としている。
【発明の効果】
【００１２】
本発明によれば、ＬＣＤの画面の明るさが欲しい状況下（カメラ起動時や通信接続時）では、ＬＣＤのバックライトの輝度が上がるので、ＬＣＤの画面が明るくなり画面表示されたカメラ画像や表示データが鮮明になる。
【発明を実施するための最良の形態】
【００１３】
以下、図面を参照し、本発明の実施形態について説明する。
図１は、本発明の第１の実施形態に係る携帯端末装置１の構成を示すブロック図である。図１に示す携帯端末装置１は、カメラ付きの携帯端末装置、例えばカメラ付きの携帯電話機である。なお、図１には、本発明に係る構成のみを示している。
【００１４】
図１において、カメラ起動検出部１２はカメラ１１が起動したことを検出する。この検出信号は輝度制御部１３に出力される。輝度制御部１３は、輝度設定部１４の設定値に基づいてバックライト用ＬＥＤ１５を駆動する。バックライト用ＬＥＤ１５は、輝度制御部１３による駆動信号により電流制限抵抗Ｒに応じた駆動電流が電源１６から流れ込むことによって発光する。ＬＣＤ画面表示部１７は、入力される表示データを画面表示するものであり、バックライト用ＬＥＤ１５の発光によって画面の明るさを調節することが可能となっている。カメラ１１による撮像中の画像や、既に撮像されてメモリ（図示せず）に保存されている画像は、ＬＣＤ画面表示部１７に入力されて画面表示することが可能である。
【００１５】
図２は、図１の輝度制御部１３及び輝度設定部１４の構成を示すブロック図である。
図２において、輝度制御部１３は選択部２１とＰＷＭ（Pulse Width Modulation）出力部２２とを備える。輝度設定部１４は、ＣＰＵ３１とＰＷＭ設定値レジスタ３２と撮像時のＰＷＭ設定値レジスタ３３とを備える。
【００１６】
ＰＷＭ設定値レジスタ３２には、ユーザ操作などに基づきＣＰＵ３１によってカメラ非起動時用のＰＷＭ設定値が設定される。また、撮像時のＰＷＭ設定値レジスタ３３にはカメラ起動時用のＰＷＭ設定値が予め設定されている。図３には、ＰＷＭ設定値の設定例が示されている。図３の設定１，２，３は、カメラ非起動時用のＰＷＭ設定値であり、バックライトの輝度レベルに応じた値である。そして、カメラ起動時の設定は、それらカメラ非起動時の設定１，２，３のいずれの輝度レベルよりも高輝度を実現するＰＷＭ設定値である。
【００１７】
輝度制御部１３の選択部２１は、カメラ起動検出部１２からの検出信号がない場合にはＰＷＭ設定値レジスタ３２で保持されるカメラ非起動時用のＰＷＭ設定値をＰＷＭ出力部２２へ出力する。一方、カメラ起動検出部１２からの検出信号がある場合には撮像時のＰＷＭ設定値レジスタ３３で保持されるカメラ起動時用のＰＷＭ設定値をＰＷＭ出力部２２へ出力する。
【００１８】
ＰＷＭ出力部２２は、選択部２１からのＰＷＭ設定値に従ってバックライト用ＬＥＤ１５の駆動信号をＰＷＭ制御により出力する。図４には、バックライト用ＬＥＤ１５の駆動信号の出力例が示されている。図４では信号値「０」でＬＥＤ駆動であり、信号値「１」でＬＥＤ非駆動である。従って、信号値「０」の割合が多いほどにバックライトの輝度が高くなる。図４の設定１，２，３、及びカメラ起動時設定は、図３に対応しており、設定１，２，３の順に信号値「０」の割合が多くなりバックライトの輝度は高い。そして、図４のカメラ起動時設定は、設定１，２，３のいずれの場合よりも信号値「０」の割合が多くなりバックライトの輝度は最も高い。
【００１９】
上述した第１の実施形態によれば、カメラ起動時にはバックライトの輝度が上がるので、ＬＣＤに画面表示されるカメラ画像が鮮明になる。また、図２の構成によりカメラ起動時にはバックライトの輝度を所定値に設定できる。
【００２０】
図５は、上記図１の輝度制御部１３及び輝度設定部１４の他の構成を示すブロック図である。
図５においては、輝度設定部１４は、撮像時のＰＷＭ設定値レジスタ３３を備えず、代わりにオフセット値レジスタ４１と加算器４２を備えている。
オフセット値レジスタ４１にはＰＷＭ設定値のオフセット値が予め保持される。このオフセット値は、加算器４２により、ＰＷＭ設定値レジスタ３２で保持されるカメラ非起動時用のＰＷＭ設定値に加算される。このオフセット値が加算された値は、カメラ起動時用のＰＷＭ設定値として選択部２１に出力される。
【００２１】
図６には、オフセット値の設定例が示されている。図６の設定１，２，３は、カメラ非起動時用のＰＷＭ設定値であり、バックライトの輝度レベルに応じた値である。そして、それらカメラ非起動時の設定１，２，３に対してオフセット値が加算された設定が、カメラ起動時用の設定となる。
【００２２】
上記した図５の構成によれば、カメラ起動時にはバックライトの輝度を一定レベルだけ上げることができる。
【００２３】
次に、第２の実施形態を説明する。
図７は、本発明の第２の実施形態に係る携帯端末装置１ａの構成を示すブロック図である。図７に示す携帯端末装置１ａは、無線通信機能付きの携帯端末装置、例えば携帯電話機である。なお、図７には、本発明に係る構成のみを示している。また、図７において図１の各部に対応する部分には同一の符号を付け、その説明を省略する。
【００２４】
図７において、無線部５１は無線基地局との間で無線通信する。通信制御部５２は、無線通信回線を介して、例えばインターネットに接続し、Ｗｅｂサーバに通信接続することができる。そして、ＷｅｂサーバからＷｅｂページデータを取得することが可能である。このＷｅｂページデータなどの通信により取得したデータは、ＬＣＤ画面表示部１７に入力されて画面表示することが可能である。この表示データは、テキストデータ又は画像データを含むものである。
【００２５】
通信制御部５２は、無線通信回線を介して、Ｗｅｂサーバなどに通信接続したときに通信接続検出信号を輝度制御部１３へ出力する。輝度制御部１３は、通信接続検出信号なしの場合には非通信接続時用の輝度設定値（上記したカメラ非起動時用のＰＷＭ設定値に対応）を使用してバックライト用ＬＥＤ１５を駆動する。一方、通信接続検出信号ありの場合には通信接続時用の輝度設定値（上記したカメラ起動時用のＰＷＭ設定値に対応）を使用してバックライト用ＬＥＤ１５を駆動する。
これにより、通信接続時にはバックライトの輝度が上がるので、通信により取得された表示データがＬＣＤの画面に鮮明に表示される。例えば、Ｗｅｂページの文字が小さく、また文字量が多い場合には、画面が暗いと見づらいが、バックライトの輝度が上がることにより画面が明るくなるので見やすくなる。
【００２６】
以上、本発明の実施形態を図面を参照して詳述してきたが、具体的な構成はこの実施形態に限られるものではなく、本発明の要旨を逸脱しない範囲の設計変更等も含まれる。
例えば、バックライト用ＬＥＤの駆動制御方法は、上記したＰＷＭ制御に限定されない。例えば、電流制限抵抗に可変抵抗を使用し、輝度設定値に応じた抵抗値を選択することによってＬＥＤ駆動電流を制御するようにしてもよい。
【図面の簡単な説明】
【００２７】
【図１】本発明の第１の実施形態に係る携帯端末装置１の構成を示すブロック図である。
【図２】図１の輝度制御部１３及び輝度設定部１４の構成を示すブロック図である。
【図３】本発明の実施形態に係るＰＷＭ設定値の設定例を示す図である。
【図４】本発明の実施形態に係るバックライト用ＬＥＤ１５の駆動信号の出力例を示す図である。
【図５】図１の輝度制御部１３及び輝度設定部１４の他の構成を示すブロック図である。
【図６】図５のオフセット値の設定例を示す図である。
【図７】本発明の第２の実施形態に係る携帯端末装置１ａの構成を示すブロック図である。
【符号の説明】
【００２８】
１，１ａ…携帯端末装置、１１…カメラ、１２…カメラ起動検出部、１３…輝度制御部（輝度制御手段）、１４…輝度設定部（輝度制御手段）、１５…バックライト用ＬＥＤ、１７…ＬＣＤ画面表示部、２１…選択部、２２…ＰＷＭ出力部、３１…ＣＰＵ、３２…ＰＷＭ設定値レジスタ、３３…撮像時のＰＷＭ設定値レジスタ、４１…オフセット値レジスタ、４２…加算器、５１…無線部、５２…通信制御部。
【図１】
2005318219.tif 000003
【図２】
2005318219.tif 000004
【図３】
2005318219.tif 000005
【図４】
2005318219.tif 000006
【図５】
2005318219.tif 000007
【図６】
2005318219.tif 000008
【図７】
2005318219.tif 000009